(57)【要約】【課題】ハンマーの打弦点の調整をハンマーごとに容易に行うことができ、それにより、最良の音質を得ることができるグランドピアノの打弦点調整装置を提供する。【解決手段】ハンマーシャンクレール１１の上面に載置され、上下方向に貫通し且つ前後方向に延びる長孔１０ａを有し、ハンマー９のハンマーシャンク９ａの前端部が回動自在に取り付けられたハンマーシャンクフレンジ１０と、ハンマーシャンクフレンジ１０とハンマーシャンクレール１１の間に設けられ、ハンマーシャンクフレンジ１０を前後方向に位置決めするための位置決め機構２１と、ハンマーシャンクフレンジ１０の長孔１０ａを介してハンマーシャンクレール１１にねじ込まれることによって、位置決め機構２１により位置決めされたハンマーシャンクフレンジ１０をハンマーシャンクレール１１に固定する固定ねじ２０と、を備えている。【選択図】  図２
2004252145.tif 000002
【特許請求の範囲】
【請求項１】
鍵の押鍵に伴い、上方に回動することによって、前後方向に延びる弦を打弦するハンマーの打弦点を調整するグランドピアノの打弦点調整装置であって、
左右方向に延びるハンマーシャンクレールと、
当該ハンマーシャンクレールの上面に載置され、上下方向に貫通し且つ前後方向に延びる長孔を有し、前記ハンマーのハンマーシャンクの前端部が回動自在に取り付けられたハンマーシャンクフレンジと、
前記ハンマーシャンクフレンジと前記ハンマーシャンクレールの間に設けられ、前記ハンマーシャンクフレンジを前後方向に位置決めするための位置決め機構と、
前記ハンマーシャンクフレンジの前記長孔を介して前記ハンマーシャンクレールにねじ込まれることによって、前記位置決め機構により位置決めされた前記ハンマーシャンクフレンジを前記ハンマーシャンクレールに固定する固定ねじと、
を備えていることを特徴とするグランドピアノの打弦点調整装置。
【請求項２】
前記位置決め機構は、前記ハンマーシャンクフレンジの前面に前後方向に進退自在にねじ込まれ、頭部が前記ハンマーシャンクレールの壁部の背面に当接する調整ねじを有することを特徴とする請求項１に記載のグランドピアノの打弦点調整装置。
【請求項３】
前記位置決め機構は、前記ハンマーシャンクレールの壁部に前方から前後方向に進退自在にねじ込まれ、前記ハンマーシャンクフレンジに回転自在かつ前後方向に移動不能に連結された調整ねじを有することを特徴とする請求項１に記載のグランドピアノの打弦点調整装置。
【請求項４】
前記調整ねじは、前方から操作可能に構成されていることを特徴とする請求項２または３に記載のグランドピアノの打弦点調整装置。
【発明の詳細な説明】
【０００１】
【発明の属する技術分野】
本発明は、鍵の押鍵に伴い、上方に回動することによって、前後方向に延びる弦を打弦するハンマーの打弦点を調整するグランドピアノの打弦点調整装置に関する。
【０００２】
【従来の技術】
従来のグランドピアノの打弦点調整装置として、例えば、特許文献１に開示されたものが知られている。図５に示すように、この打弦点調整装置が適用されるアクション１０１は、棚板２上に移動自在に載置された筬３上に、鍵４とともに設けられている。アクション１０１は、鍵４の後部（同図の左部）に載置された回動自在のウィッペン５と、ウィッペン５に回動自在に取り付けられたレペティションレバー６およびジャック７などを備えている。また、レペティションレバー６の前部には、シャンクローラ８を介してハンマー９が載置されている。ハンマー９は、その前端部が、ハンマーシャンクフレンジ１１０を介して、ハンマーシャンクレール１１１に回動自在に支持されている。
【０００３】
ハンマーシャンクレール１１１へのハンマーシャンクフレンジ１１０の取付方法については、特許文献１には記載されていないが、一般には、次のような方法が用いられている。すなわち、ハンマーシャンクフレンジには、ねじを通すための孔が形成されており、この孔は、円形状に形成され、ねじとほぼ同じ径を有している。そして、ねじをこの孔を介して、ハンマーシャンクレールのねじ孔にねじ込むことにより、ハンマーシャンクフレンジがハンマーシャンクレールに固定されている。
【０００４】
この離鍵状態から、鍵４が押鍵されると、ウィッペン５が突き上げられることにより、レペティションレバー６およびジャック７がウィッペン５と一緒に上方に回動する。そして、回動したジャック７がシャンクローラ８を介してハンマー９を突き上げることによって、ハンマー９が弦Ｓを打弦する。
【０００５】
このハンマー９による弦Ｓの打弦点は、一般に、ピアノの音質に大きな影響を及ぼし、その影響度合は、弦長が短い高音部ほど大きい。例えば、ピアノの音質は、ハンマー９が弦Ｓを打弦したときの合成音で決まる。この合成音は、基音と、基音の振動数の整数倍の振動数をもつ振動倍音とからなる。また、この振動倍音の中には、不協和音も含まれており、この不協和音が強く出ないような所定の位置にハンマー９の打弦点を定めることが重要である。
【０００６】
打弦点調整装置は、この打弦点を調整するために設けられている。この打弦点調整装置は、棚板２の上面後部に設けられた直方体状の左右２つのブロック１１２、１１２（１つのみ図示）と、各ブロック１１２の前面にねじ込まれたスクリューねじ１１３と、筬３の背面のスクリューねじ１１３に対応する位置に設けられた耐摩耗性当接部１１４で構成されている。この構成では、筬３を後方に移動させた際に、耐摩耗性当接部１１４がスクリューねじ１１３の頭部に当接することにより、筬３が前後方向に位置決めされ、それにより、ハンマー９の打弦点が定まる。また、この打弦点の調整は、ピアノ本体（図示せず）から、アクション１０１を載置した筬３全体を前方に引き出した状態で、スクリューねじ１１３を回し、ねじ込み量を調整することによって行われる。
【０００７】
【特許文献１】
特願平９−１６１６２号公報（図１、第４頁）
【０００８】
【発明が解決しようとする課題】
しかし、前述したグランドピアノの打弦点調整装置では、筬３全体を移動させることによりハンマー９の打弦点を調整するので、この調整をハンマー９ごとにきめ細かく行うことができず、それにより、最良の音質が得られにくくなる。また、上述した調整方法では、ピアノ本体からアクション１０１を含む筬３全体を引き出した状態で、スクリューねじ１１３のねじ込み量を調整する。しかし、この状態では、ハンマー９による打弦を行えないため、音質を確認することができず、筬３を押し込み、耐摩耗性当接部１１４をスクリューねじ１１３に当接させた後でなければ、音質を確認できない。このため、最良の音質が得られない場合には、筬３の引き出しおよび押し込みを何度も繰り返しながら調整を行わなければならないので、打弦点の調整に非常に手間がかかる。
【０００９】
本発明は、このような課題を解決するためになされたものであり、ハンマーの打弦点の調整をハンマーごとに容易に行うことができ、それにより、最良の音質を得ることができるグランドピアノの打弦点調整装置を提供することを目的としている。
【００１０】
【課題を解決するための手段】
この目的を達成するために、請求項１に係る発明は、鍵の押鍵に伴い、上方に回動することによって、前後方向に延びる弦を打弦するハンマーの打弦点を調整するグランドピアノの打弦点調整装置であって、左右方向に延びるハンマーシャンクレールと、ハンマーシャンクレールの上面に載置され、上下方向に貫通し且つ前後方向に延びる長孔を有し、ハンマーのハンマーシャンクの前端部が回動自在に取り付けられたハンマーシャンクフレンジと、ハンマーシャンクフレンジとハンマーシャンクレールの間に設けられ、ハンマーシャンクフレンジを前後方向に位置決めするための位置決め機構と、ハンマーシャンクフレンジの長孔を介してハンマーシャンクレールにねじ込まれることによって、位置決め機構により位置決めされたハンマーシャンクフレンジをハンマーシャンクレールに固定する固定ねじと、を備えていることを特徴とする。
【００１１】
この構成によれば、ハンマーシャンクフレンジは、これに形成した長孔に沿って案内されながら、位置決め機構によって前後方向に位置決めされる。それに伴い、ハンマーシャンクフレンジにハンマーシャンクを介して取り付けられたハンマーもまた、前後方向に位置決めされる。また、ハンマーシャンクフレンジを最良の音質が得られる位置に移動させた後に、長孔を介して固定ねじをハンマーシャンクレールに対して締め付けることによって、ハンマーシャンクフレンジがハンマーシャンクレールに固定され、それにより、ハンマーの打弦点が調整される。このように、ハンマーシャンクフレンジの位置を適切に調整することによって、ハンマーの打弦点をハンマーごとに適正に調整することができ、それにより、最良の音質を得ることができる。
【００１２】
請求項２に係る発明は、請求項１に記載のグランドピアノの打弦点調整装置において、位置決め機構は、ハンマーシャンクフレンジの前面に前後方向に進退自在にねじ込まれ、頭部がハンマーシャンクレールの壁部の背面に当接する調整ねじを有することを特徴とする。
【００１３】
この構成によれば、位置決め機構は調整ねじを有しており、この調整ねじの頭部を、ハンマーシャンクレールの壁部の背面に当接させた状態を保ちながら、ハンマーシャンクフレンジへの調整ねじのねじ込み量を調整することにより、ハンマーシャンクフレンジを前後方向へ連続的に移動させることができ、それにより、ハンマーの打弦点の調整をきめ細かく行うことができる。このように、調整ねじを回すことによって、ハンマーの打弦点の調整を容易にかつきめ細かく行うことができる。
【００１４】
請求項３に係る発明は、請求項１に記載のグランドピアノの打弦点調整装置において、位置決め機構は、ハンマーシャンクレールの壁部に前方から前後方向に進退自在にねじ込まれ、ハンマーシャンクフレンジに回転自在かつ前後方向に移動不能に連結された調整ねじを有することを特徴とする。
【００１５】
この構成によれば、位置決め機構は調整ねじを有しており、この調整ねじは、ハンマーシャンクフレンジに上記のように設けられているので、これを回すと、前後方向に進退し、それに伴い、ハンマーシャンクフレンジは、調整ねじと一体の状態で前後方向に連続的に移動する。したがって、調整ねじを回すだけで、ハンマーの打弦点の調整を容易にかつきめ細かく行うことができる。
【００１６】
請求項４に係る発明は、請求項２または３に記載のグランドピアノの打弦点調整装置において、調整ねじは、前方から操作可能に構成されていることを特徴とする。
【００１７】
一般に、グランドピアノでは、調律用のチューニングピンを設けたピン板がアクションのすぐ上方に配置されている。このため、筬をピアノ本体に押し込んだ状態ではピン板が邪魔になるため、ハンマーの打弦点の調整を上方から行うことができず、筬をピアノ本体から引き出さなければ調整を行うことができない。この構成によれば、調整ねじを前方から操作することにより打弦点を調整することができる。その結果、打弦点の調整を、筬をピアノ本体から引き出さずに、押し込んだままの状態で、ハンマーで弦を実際に打弦させ、そのときの音質を確認しながら、効率よく行うことができる。
【００１８】
【発明の実施の形態】
以下、本発明の好ましい実施形態を、図面を参照しながら説明する。図１は、本発明の第１実施形態による打弦点調整装置を適用したグランドピアノのアクション１を示している。なお、以下の説明では、アクション１の構成要素のうち、図５に示した従来のアクション１０１と同じ構成のものについては、同じ参照番号を用いるものとする。
【００１９】
同図に示すように、アクション１は、前後方向に延びる鍵４の支点（図示せず）よりも後方で且つ鍵４の上方に配置されている。このアクション１は、左右方向（図１の奥行方向）に並ぶように配置され、後端部（同図の左端部）を中心として回動自在の多数のウィッペン５（１つのみ図示）と、各ウィッペン５に回動自在に取り付けられたレペティションレバー６およびジャック７と、両者６、７を復帰方向（同図の反時計方向）に付勢するレペティションスプリング１５などを備えている。また、レペティションレバー６の前部には、シャンクローラ８を介してハンマー９が載置されている。
【００２０】
このアクション１は、従来のそれと同様に、棚板上に移動自在に載置された筬（いずれも図示せず）上に、鍵４とともに設けられており、筬の上面の左右端部にそれぞれ設けられたブラケット１８（図１に一方のみ図示）に取り付けられている。左右のブラケット１８、１８間には、ウィッペンレール１９およびハンマーシャンクレール１１が渡されている。ウィッペンレール１９には、多数のウィッペンフレンジ１９ａが左右方向に並ぶように取り付けられており、各ウィッペンフレンジ１９ａにウィッペン５の後端部が回動自在に支持されている。また、ハンマーシャンクレール１１の上面には、多数のハンマーシャンクフレンジ１０が左右方向に並ぶように載置されており、各ハンマーシャンクフレンジ１０にハンマー９が回動自在に取り付けられている。
【００２１】
各ハンマーシャンクフレンジ１０は、木材または合成樹脂で構成されている。図２に示すように、ハンマーシャンクフレンジ１０は、断面が矩形状で前後方向に延びており、その中央には、上下方向に貫通し且つ前後方向に延びる長孔１０ａが形成されている。固定ねじ２０を、この長孔１０ａを介して、ハンマーシャンクレール１１のねじ孔１１ａにねじ込むことによって、ハンマーシャンクフレンジ１０がハンマーシャンクレール１１に固定される。また、この長孔１０ａは、段部１０ｂを境にして、上端部側の上孔部１０ｃと、上孔部１０ｃよりも幅および長さが小さい下側の下孔部１０ｄで構成されている。この段部１０ｂには、スプリングワッシャ２２が配置されており、スプリングワッシャ２２のばね力によって固定ねじ２０を緩止めすることが可能である。ハンマーシャンクフレンジ１０の前面下部には、ねじ穴１０ｅが形成されており、このねじ穴１０ｅに調整ねじ２１がねじ込まれている。また、ハンマーシャンクフレンジ１０の下面後部には、レペティションレバー６の上方への回動を規制するドロップスクリュー１６が進退自在に螺合し、レペティションレバー６の前端部と所定の間隔をもって対向している。また、ねじ部２０ｂの径は、長孔１０ａの下孔部１０ｄの幅よりもわずかに小さい。
【００２２】
調整ねじ２１は、ハンマーシャンクフレンジ１０とハンマーシャンクレール１１の壁部１１ｂとの間に設けられている。具体的には、上述したように、調整ねじ２１のねじ部２１ｂが、ハンマーシャンクフレンジ１０の前面のねじ穴１０ｅに前後方向に進退自在にねじ込まれるとともに、頭部２１ａが、ハンマーシャンクレール１１の壁部１１ｂの背面１１ｃに当接している。頭部２１ａは、丸平状に形成されており、また、その側面には、工具（図示せず）を挿入し、調整ねじ２１を回すための複数の孔２１ｃが形成されている。
【００２３】
一方、ハンマー９は、前後方向に延びるハンマーシャンク９ａと、その後端部に取り付けられたハンマーヘッド９ｂで構成されており、ハンマーシャンク９ａの前端部が、ハンマーシャンクフレンジ１０に支点１０ｆを介して回動自在に取り付けられている。シャンクローラ８は、例えば、内側のクロスとその外側に巻いたスキンから円柱状に形成されており、ハンマーシャンク９ａの下面前部の所定位置に取り付けられている。また、ハンマーシャンクレール１１の下面には、レギュレーティングレール２４がねじ止めされており、このレギュレーティングレール２４の下面に、ジャック７の上方への回動を規制するレギュレーティングボタン１７が進退自在に螺合していて、ジャック７の前端部と所定の間隔をもって対向している。以上の構成要素のうち、ハンマーシャンクレール１１、ハンマーシャンクフレンジ１０、調整ねじ２１および固定ねじ２０によって、打弦点調整装置が構成されている。
【００２４】
以上の構成のアクション１によれば、図１に示す離鍵状態から鍵４が押鍵されると、ウィッペン５が突き上げられることにより回動し、レペティションレバー６およびジャック７がウィッペン５と一緒に上方に移動する。これらの移動に伴い、まず、レペティションレバー６がシャンクローラ８を摺動させながらこれを介してハンマー９を押し上げ、上方に回動させる。次いで、レペティションレバー６がドロップスクリュー１６に係合することにより、その回動が阻止されることで、ジャック７がシャンクローラ８を介してハンマー９を突き上げる。その後、ハンマー９が、上方に張られた弦Ｓを打弦する直前まで回動した時点で、ジャック７が、レギュレーティングボタン１７に係合し、その回動が阻止されることによって、シャンクローラ８から抜ける。これにより、ハンマー９は、アクション１および鍵４との連結を解かれ、自由回動状態で弦Ｓを打弦する。
【００２５】
次に、上記構成の打弦点調整装置によるハンマー９の打弦点の調整方法を説明する。まず、図１に示す離鍵状態において、ピアノ本体（図示せず）からアクション１を載置した筬全体を前方に引き出す。この引き出された状態で、固定ねじ２０を少し緩め、図２に示すように、調整ねじ２１の頭部２１ａをハンマーシャンクレール１１の壁部１１ｂの背面１１ｃに当接させた状態を保ちながら、調整ねじ２１の孔２１ｃに工具を挿入し、調整ねじ２１を回す。この場合、固定ねじ２０が、長孔１０ａを介して、ハンマーシャンクレール１１に緩止めされているので、ハンマーシャンクフレンジ１０への調整ねじ２１のねじ込み量が変化するのに伴い、ハンマーシャンクフレンジ１０は、長孔１０ａに沿って案内されながら、ハンマーシャンクレール１１に対して前後方向へ移動する。それに伴い、ハンマーシャンクフレンジ１０に取り付けられたハンマー９も前後方向に一緒に移動する。そして、ハンマーシャンクフレンジ１０およびハンマー９を所定の位置に位置決めした後に、固定ねじ２０を本締めすることによって、ハンマーシャンクフレンジ１０がハンマーシャンクレール１１に固定され、ハンマー９の打弦点が位置決めされる。その後、筬をピアノ本体に押し込むことにより、演奏を行うことができる状態になる。
【００２６】
以上のように、本実施形態によれば、頭部２１ａをハンマーシャンクレール１１の壁部１１ｂの背面１１ｃに当接させた状態で、調整ねじ２１を回すことによって、ハンマーシャンクフレンジ１０への調整ねじ２１のねじ込み量を調整することにより、ハンマーシャンクフレンジ１０を前後方向へ連続的に移動させることができ、それにより、ハンマー９の打弦点の調整をハンマー９ごとに容易にかつきめ細かく行うことができる。そして、ハンマーシャンクフレンジ１０およびハンマー９を最良の音質が得られる位置に移動させた後に、固定ねじ２０を締め付けることによって、ハンマー９を調整した位置に固定することができ、それにより、最良の音質を得ることができる。
【００２７】
図３は、本発明の第２実施形態による打弦点調整装置を示している。本実施形態は、上述した第１実施形態と比較し、調整ねじの構成のみが異なる。すなわち、第１実施形態では、頭部２１ａが丸平状に形成され、その側面に調整ねじ２１を回すための孔２１ｃが形成されているのに対し、この第２実施形態では、調整ねじ４１の頭部４１ａは、平状に形成されており、調整ねじ４１を回すための溝４１ｃが、頭部４１ａの頂面に形成されている。この溝４１ｃは、例えば＋（プラス）状に形成されている。また、ハンマーシャンクレール１１の壁部１１ｂが、第１実施形態よりも低くなっていることで、溝４１ｃが壁部１１ｂより上方に露出しており、それにより、ドライバー（図示せず）を溝４１ｃに前方から挿入して、調整ねじ４１の回転操作を前方から行えるようになっている。
【００２８】
このような構成により、筬全体を一旦、引き出し、固定ねじ２０を緩め、筬全体を押し込んだ後に、調整ねじ４１の頭部４１ａをハンマーシャンクレール１１の壁部１１ｂの背面１１ｃに当接させながら、ハンマーシャンクフレンジ１０への調整ねじ４１のねじ込み量を前方から調整することによって、第１実施形態と同様の効果を得ることができる。さらに、調整ねじ４１を前方から操作することによりハンマー９の打弦点の調整を行える。したがって、アクション１の上方にピン板（図示せず）が存在していたとしても、打弦点の調整を、筬をピアノ本体から引き出さずに、鍵４を押鍵し、ハンマー９で弦Ｓを実際に打弦させ、そのときの音質を確認しながら、効率よく行うことができる。そして、すべてのハンマー９に対して、調整ねじ４１によるハンマー９の打弦点の調整が完了した後に、筬全体を再び、引き出し、固定ねじ２０を締め付け、筬全体をピアノ本体に押し込むことにより、演奏を行うことができる状態になる。
【００２９】
図４は、本発明の第３実施形態による打弦点調整装置を示している。本実施形態は、上述した第２実施形態と比較し、ハンマーシャンクレールおよびハンマーシャンクフレンジへの調整ねじの取付構成が異なる。すなわち、第２実施形態では、調整ねじ４１は、ハンマーシャンクフレンジ１０の前面にねじ込まれ、頭部４１ａがハンマーシャンクレール１１の壁部１１ｂの背面１１ｃに当接しているのに対して、この第３実施形態では、調整ねじ５１は、ハンマーシャンクレール３１の壁部３１ｂに前方から前後方向に進退自在にねじ込まれている。また、調整ねじ５１の先端部には、連結部５１ｄが設けられている。この連結部５１ｄは、ハンマーシャンクフレンジ３０の前面に設けられた係合部３０ｇに回転自在にかつ前後方向に隙間なく、抜止め状態で係合している。すなわち、調整ねじ５１は、連結部５１ｄおよび係合部３０ｇを介して、ハンマーシャンクフレンジ３０に回転自在にかつ前後方向に移動不能に連結されている。調整ねじ５１の頭部５１ａは、例えば＋（プラス）状の溝５１ｃを有している。
【００３０】
このような構成により、調整ねじ５１を回すと、ハンマーシャンクフレンジ３０は、調整ねじ５１と一体の状態で前後方向に連続的に移動する。したがって、第２実施形態と同様、調整ねじ５１を前方から操作することによって、打弦点を調整することができる。さらに、第２実施形態と異なり、調整ねじ４１の頭部４１ａをハンマーシャンクレール１１の壁部１１ｂの背面１１ｃに当接させるという作業を必要とすることなく、調整ねじ５１を回すだけで、ハンマー９の打弦点の調整をさらに容易に行うことができる。
【００３１】
なお、本発明は、説明した実施形態に限定されることなく、種々の態様で実施することができる。例えば、説明した実施形態では、ハンマーシャンクフレンジ１０、３０の長孔１０ａ、３０ａに段部１０ｂ、３０ｂが設けられているが、段部１０ｂ、３０ｂを省略してもよい。その場合、長孔１０ａ、３０ａの幅が、ねじ部２０ｂの径よりもわずかに大きく設定されるとともに、固定ねじ２０の頭部２０ａおよびスプリングワッシャ２２は、長孔１０ａ、３０ａをまたいだ状態で取り付けられる。その他、本発明の趣旨の範囲内で、細部を適宜、変更することが可能である。
【００３２】
【発明の効果】
以上詳述したように、本発明のグランドピアノの打弦点調整装置は、ハンマーの打弦点の調整をハンマーごとに容易に行うことができ、それにより、最良の音質を得ることができるなどの効果を有している。
【図面の簡単な説明】
【図１】本発明の第１実施形態を適用したグランドピアノのアクションを含む打弦点調整装置の側面図である。
【図２】図１の断面図である。
【図３】本発明の第２実施形態を適用したグランドピアノの打弦点調整装置の断面図である。
【図４】本発明の第３実施形態を適用したグランドピアノの打弦点調整装置の断面図である。
【図５】従来のグランドピアノのアクションを含む打弦点調整装置の側面図である。
【符号の説明】
４  鍵
９  ハンマー
９ａ  ハンマーシャンク
１０  ハンマーシャンクフレンジ
１０ａ  長孔
１１  ハンマーシャンクレール
１１ｂ  壁部
１１ｃ  背面
２０  固定ねじ
２１  調整ねじ
２１ａ  頭部
３０  ハンマーシャンクフレンジ
３０ａ  長孔
３１  ハンマーシャンクレール
３１ｂ  壁部
４１  調整ねじ
４１ａ  頭部
５１  調整ねじ
５１ａ  頭部
Ｓ  弦
【図１】
2004252145.tif 000003
【図２】
2004252145.tif 000004
【図３】
2004252145.tif 000005
【図４】
2004252145.tif 000006
【図５】
2004252145.tif 000007